(57)【要約】【解決手段】胸をカバーするカップ布に使用するための柔軟なストラップと装飾的な付属部材を含むカップ布支持器具。【選択図】図５
2010501737.tif 000002
【特許請求の範囲】
【請求項１】
装飾用コネクタ（１）と素材の一部（１３、１７）からなる胸をカバーするカップ布を支えるためのカップ布支持器具であって、
前記装飾用コネクタは、宝石ならびに一般的なファッションジュエリーとして周知である様々な材料で作られ、装飾されていない、または装飾および装飾的部分で装飾されたものであり、対向する固定端(５、１０)を有し、その1つの固定端(１０)は胸を覆うカップ布の上端においてカップ布に近接して設けられた固定用輪状部分(２、３)に着脱自在に取り付けるのに適しており、反対側の固定端(５)は前記胸を覆うカップ布を着用者の体の好ましい位置で保持するための前記素材の一部（１３、１７）を着脱可能に受け入れるのに適している1つまたは様々な開口(６)を形成しており、
前記装飾用コネクタは個々の部分が旋回、回転および／または入れ替えができるように、互いに関連して動く連結端子(９)で連結される一連の部分をさらに備えており、前記コネクタの縦の寸法が略２インチから５インチ（５．０８−１２．７０ｃｍ）で幅１インチから２インチ（２．５４−５．０８ｃｍ）であり、
前記素材の一部が、装飾されたまたは装飾されていない、スカーフまたは帯の形状に作られていることを特徴とするカップ布支持器具。
【請求項２】
装飾用コネクタ（１）と素材の一部（１３、１７）からなる胸をカバーするカップ布を支えるためのカップ布支持器具であって、
前記装飾用コネクタは、宝石ならびに一般的なファッションジュエリーとして周知である様々な素材で作られ、装飾されていない、または装飾および装飾的部分で装飾されたものであり、対向する固定端(５、１０)を有し、その1つの固定端(１０)は胸を覆うカップ布の上端においてカップ布に近接して設けられた固定用輪状部分(２、３)に着脱自在に取り付けるのに適しており、反対側の固定端(５)は前記胸を覆うカップ布を着用者の体の好ましい位置で保持するための前記素材の一部（１３、１７）を着脱可能に受け入れるのに適している1つまたは様々な開口(６)を形成しており、
a)前記装飾コネクタが一つの固体片であり、
b）該コネクタの縦の寸法が略２インチ（３．８１ｃｍ）から５インチ（５．０８−１２．７０ｃｍ）で幅１インチから２インチ（２．５４−５．０８ｃｍ）であり、
c)前記一部の素材が、装飾されたまたは装飾されていない、スカーフまたは帯の形状に作られていることを特徴とするものである。
【請求項３】
前記装飾用コネクタの装飾が石、水晶、ダイヤモンド、ビーズ、宝石、または、準宝石を含む請求項1または２に記載のカップ布支持器具。
【請求項４】
前記装飾的部分が、カラーエナメルと水晶、または石を含む請求項1または２に記載のカップ布支持器具。
【請求項５】
請求項１から３のいずれか１項に記載のカップ布支持器具と胸をカバーするカップ布とを含むカップ布アンサンブル。
【発明の詳細な説明】
【技術分野】
【０００１】
本発明は、宝石、装身具、ブラジャー、ブラジャーストラップの取替品と留め具の組み合わせに関する。
【背景技術】
【０００２】
通常、ブラジャーには固定または取りはずせるストラップ（ストラップレス）が付属している。これらのストラップは通常機能的な外観しか持たない。図1のストラップレスブラジャー（１）はストラップを取り付けるための輪状部分（２）を提供する。この輪状部分はブラジャーの上縁付近に位置する。図２に、一般的に、ストラップをブラジャーに付けるために使用されるフックを示す。多くの女性はストラップレスブラジャーを装着することは難しいと感じている。なぜなら、ストラップレスブラジャーは十分な支えを提供せず、また、多くのストラップは見栄えが悪いため、女性たちは自分が流行のもの、例えば、ストラップキャミソールまたはストラップレスドレス、を着ることができないと感じているからである。
【０００３】
ブラジャーのストラップをより魅力的にするために装飾をストラップに固定させ、あるいは装飾的なカバーをストラップに付けることができる。しかし、通常ブラジャーのストラップは、見栄えが悪く、単純に機能的な外観を有するものであり、ブラジャーのストラップが目に見えた場合には、着用者の全体的な美的効果を低減してしまう。ゴム入りのプラスチック素材で作られた透明なひもは、簡単にパチンと切れて、支えが最低限なものになってしまう。
【０００４】
従来技術に関する実施例:
ＷＯ２００４０１０８１４は、従来のひもを装飾的なチェーンに取り替えることによって、解決を試みている。これらは皮膚に食い込むため、大きい胸の女性たちにとって不向きで危険であることが判明している。
【０００５】
ＧＢ２４１９８０１は既存のひもに装飾的な要素をつけて、装飾しようとしているが、これは、ひもの一部が目に見え、カバーがせいぜいふくらみの外観をつくっているに過ぎないという問題を残している。
【０００６】
ＵＳ２００３／０００３８４４ＡＩは必要最低限の胸をカバーするカップ布である。 このカップ布は複数の布製の輪状部分、またはその端のまわりに配されたスリットを有する生地からなり、洋裁で通常使われる一般的なコネクタをかなりの量を使う、すなわち: フックと目、スナップ、ボタンなどである。このタイプのデザインは、装飾的であるが、着用者の胸の支えの役割をほとんど果たしていない。
【０００７】
ＪＰ ２００６ １０４６１０ Ａ 
装飾するためにブラジャー自体とブラジャーのひもに取り付けられる様々なアクセサリーを表している。オリジナルのひもを部分的に見えたままにしているようである。
【０００８】
ＪＰ ２００４ １８３１４６ Ａ 
２本の別々のひもを肩の上で装飾用のアイテムを見せるように結ぶことができるコネクタ器具を表している。
【０００９】
ＵＳ６０８６４５１Ａ;ＵＳ６７１５１８６Ｂ１; ＥＰ１３７８１８４Ａ;ＵＳ２００４／０２０２４０Ａ１;ＵＳ２００３／２０９０３４Ａ１これらの発明は、様々な飾り付けをされたチェーンおよび／またはブラジャーのひもを取り替えるのに用いられる透明なひもに関連する。
【００１０】
ＪＰ２００１００３２１４Ａ
本発明は、ブラジャーのストラップの角度を変えるのに用いられる隠しコネクタについて記載する。
【先行技術文献】
【特許文献】
【００１１】
【特許文献１】国際公開第２００４／０１０８１４パンフレット
【特許文献２】英国特許第２４１９８０１号明細書
【特許文献３】米国公開特許公報２００３―０００３８４４ＡＩ
【特許文献４】特開２００６―１０４６１０号公報
【特許文献５】特開２００４―１８３１４６号公報
【特許文献６】米国特許第６０８６４５１号明細書
【特許文献７】米国特許第６７１５１８６号明細書
【特許文献８】欧州特許公開ＥＰ１３７８１８４Ａ号公報
【特許文献９】米国公開特許公報２００４―０２０２４０号明細書
【特許文献１０】米国公開特許公報２００３―２０９０３４号明細書
【特許文献１１】特開２００１―００３２１４号公報
【発明の概要】
【課題を解決するための手段】
【００１２】
本発明は、宝石、装身具、ブラジャー、ブラジャーストラップの取替品と留め具の組み合わせを提供するもので、留め具は留め具と装飾用のアクセサリーとを兼ねており、胸をカバーするカップ布かブラジャーに通常付属し、該ブラジャーと第２の装身具のコネクタとして機能する。また、留め具は望ましい位置で前記胸のカップ布を保持するように着用者の体に装着される。
【００１３】
すなわち、本発明によるカップ布支持器具は、装飾用コネクタ（１）と素材の一部（１３、１７）からなる胸をカバーするカップ布を支えるためのカップ布支持器具であって、前記装飾用コネクタは、宝石ならびに一般的なファッションジュエリーとして周知である様々な素材で作られ、装飾されていない、または装飾および装飾的部分で装飾されたものであり、対向する固定端(５、１０)を有し、その1つの固定端(１０)は胸を覆うカップ布の上端においてカップ布に近接して設けられた固定用輪状部分(２、３)に着脱自在に取り付けるのに適しており、反対側の固定端(５)は前記胸を覆うカップ布を着用者の体の好ましい位置で保持するための前記素材の一部（１３、１７）を着脱可能に受け入れるのに適している1つまたは様々な開口(６)を形成しており、前記装飾用コネクタは個々の部分が旋回、回転および／または入れ替えができるように、互いに関連して動く連結端子(９)で連結される一連の部分をさらに備えており、前記コネクタの縦の寸法が略２インチから５インチ（５．０８−１２．７０ｃｍ）で幅１インチから２インチ（２．５４−５．０８ｃｍ）であり、前記素材の一部が、装飾されたまたは装飾されていない、スカーフまたは帯の形状に作られていることを特徴とするものである。
【００１４】
また、本発明によるカップ布支持器具は、装飾用コネクタ（１）と素材の一部（１３、１７）からなる胸をカバーするカップ布を支えるためのカップ布支持器具であって、
前記装飾用コネクタは、宝石ならびに一般的なファッションジュエリーとして周知である様々な素材で作られ、装飾されていない、または装飾および装飾的部分で装飾されたものであり、対向する固定端(５、１０)を有し、その1つの固定端(１０)は胸を覆うカップ布の上端においてカップ布に近接して設けられた固定用輪状部分(２、３)に着脱自在に取り付けるのに適しており、反対側の固定端(５)は前記胸を覆うカップ布を着用者の体の好ましい位置で保持するための前記素材の一部（１３、１７）を着脱可能に受け入れるのに適している1つまたは様々な開口(６)を形成しており、
a)前記装飾コネクタが一つの固体片であり、
b）該コネクタの縦の寸法が略２インチ（３．８１ｃｍ）から５インチ（５．０８−１２．７０ｃｍ）で幅１インチから２インチ（２．５４−５．０８ｃｍ）であり、c)前記一部の素材が、装飾されたまたは装飾されていない、スカーフまたは帯の形状に作られていることを特徴とするものである。
【００１５】
本発明は、従来のストラップを、胸をカバーするカップ布を支えるための、綿、絹または何らかの好ましい素材からなりうる、細長いスカーフまたは帯の形状をした一部の素材を用いた、より魅力的で、安全で、快適なアンサンブルにすっかり置き換えたものである。
【００１６】
本発明によると、２つの固定端を備えたコネクタが提供される。このコネクタは、胸をカバーするカップ布を一端に固定して、第２の装飾用のアクセサリーをもう一端に固定する。該装飾用のアクセサリーはブラジャーのひもと取り替えられ、着用者の体において、望ましい位置で前記胸をカバーするカップ布を保持する。前記コネクタは飾りのないものであってもよく、コスチュームジュエリー/宝飾品ならびにアクセサリーの分野で知られている石、結晶、模造ダイヤ、ビーズまたはあらゆる装飾物を用いてコスチュームジュエリーまたは本物の宝飾品の一つのアイテムとして装飾されてもよい。
【００１７】
本発明は、従来のブラジャーストラップに対して、斬新で、魅力的で快適な代替品を提供して、従来技術に関連している問題を克服するものである。
【００１８】
前述のコネクタは、ブラジャーに取り付けられているか、着脱可能であって、再取り付けおよび/または交換可能である。 このコネクタはブラジャーまたは他の胸をカバーするカップ布に固定されており、第２の装飾用のアクセサリーと連結して用いられる。この第２の装飾用のアクセサリーは、支持要素として作用し、一般的に細長いスカーフの形状で、装飾されているかまたは飾りのないものであり、前記コネクタを通って胸のカップ布を、着用者の体における望ましい位置と方向に、しっかりと快適に保持する。
【００１９】
本発明に関連する固定具/コネクタは、以下をデザインに取り入れるように構成されている。
【００２０】
1.様々な方法で胸をカバーするカップ布に固定し、フック、留め金、スプリング、スナップ、フック、縫い物、マジックテープ（登録商標）を、これらに限定されるものではないが、含んでいる固定要素。
【００２１】
２.着用者の体に装着されることにより胸をカバーするカップ布とコネクタを適所で支持し、一部の素材、布地またはその他を挿入できる開口を提供する支持部分。
【００２２】
３．選択できる装飾用の要素。 
本発明に関連するアイテムは、一つの固体片として構成することができ、あるいは、この装飾用のコネクタの個々の部材が動作、つまり、複数の部分が旋回、回転および／または入れ替えができるように、互いに関連して動くことが好ましい場合、連結端子で連結された一連の部分からなる組み合わせとして構成することもできるよう想定されている。
【図面の簡単な説明】
【００２３】
図１  一般的なストラップブラジャーを示す。
【００２４】
図２  一般的に、ストラップをブラジャーに付けるために使用されるフックを示す。
【００２５】
図３  本発明の一実施の形態に係るファッションジュエリーの技術で一般的に使用される合金で作られている一つの装飾的なコネクタの例を示す。
【００２６】
図４  図３で例示されるようなフックに代わるものとして、留め金のようなものを使用した本発明の一実施の形態に係るコネクタの例を示す。
【００２７】
図５  装飾用コネクタがカップ布に縫い込まれている例を示す。
【００２８】
図６  本発明の一実施の形態に係る複数の部分からなるコネクタの例を示す。
【００２９】
図７  本発明の一実施の形態に係る一体型コネクタの例を示す。
【００３０】
図８  本発明の一実施の形態に係る一体型コネクタの例を示す。
【００３１】
図９  本発明の一実施の形態に係る一体型コネクタの例を示す。
【００３２】
図１０  本発明の一実施の形態に係るパフューム・ホルダを有するコネクタを示す。
【発明を実施するための形態】
【００３３】
図３は、ファッションジュエリーの技術で一般的に使用される合金で作られている一つの装飾的な実施形態を例示する。(１０)は水平のバーを提供するフックであり、ストラップレスブラジャーにより提供される輪状部分に挿入される。(８)は装飾セクションで、カラーエナメルと結晶/石で装飾されている。(７)は好ましい開口（６）を提供する装飾された支持部分を例示し、スカーフ形状の支持エレメントを挿入可能である。(９)は連結リンクかまたは留め金を例示しており、快適な方向に移動させることができる。
【００３４】
図３で例示されるようなフックに代わるものとして、前述の装飾用コネクタは図４で例示されるような留め金のようなものを使用できる。
【００３５】
図５は、環状形の装飾用コネクタ（１４，１６）が前記カップ布に縫い込まれているストラップレスのブラジャー（１）において、末端が装飾された（１２、１５）細長のスカーフ（１３、１７）がブラジャー（１）と連結して使用され、一体構造となるように全ての部分が構成されているものを示す。このブラジャーの好ましい着用方法を以下で説明する。
【００３６】
ストラップレスブラジャーを着用する人
ａ）帯/スカーフを首にかける。
【００３７】
ｂ）ブラジャーに縫い付けられた環状のピースによって提供される開口に帯の各端部をそれぞれ通す。
【００３８】
ｃ）首の後ろでスカーフの両端を固定して、頑丈で快適な支えをつくる。
【００３９】
図６は、装飾用コネクタが互いに連結している複数の部分から構成されており、図３で示すものと同様のより複雑なアレンジの例を示す。
【００４０】
図７、図８、および図９は支持用スカーフを挿入するための様々な開口を示す一体型コネクタを例示する。 
図１０は、上部にネジと、スカーフを挿入するための開口と、胸のカップ布に取り付けるフックを備えたパフューム・ホルダを示すコネクタを例示する。
【００４１】
この斬新なアクセサリーは、その機能性がジュエリー・デザインの分野と組み合わされているので、このアクセサリーに関連している装飾と創造性のレベルに全く制限がない。この明細書は明らかな理由で好ましい実施形態に限定されている。この斬新なアクセサリーは、好ましい長さは、略長さ２から５インチ（５．０８cm×１２．７０cm）で、そして、好ましい幅は、幅１インチから２インチ（２．５４cm×５．０８cm）である。この斬新なアクセサリーは、様々な材料で、好ましくは、ファッションジュエリーで使用される合金金属の多くのように安全と快適を可能とするもので構成される。また、健康上の利点、医薬用途を有する磁性材料やパフュームキャリアであるような、宝石または準宝石、装飾用の石や結晶の使用が望ましい。
【図１】
2010501737.tif 000003
【図２】
2010501737.tif 000004
【図３】
2010501737.tif 000005
【図４】
2010501737.tif 000006
【図５】
2010501737.tif 000007
【図６】
2010501737.tif 000008
【図７】
2010501737.tif 000009
【図８】
2010501737.tif 000010
【図９】
2010501737.tif 000011
【図１０】
2010501737.tif 000012
【図１１】
2010501737.tif 000013
【国際調査報告】
2010501737.tif 000014
2010501737.tif 000015
2010501737.tif 000016